(57)【要約】【目的】取付用ブラケットに対してスクリーン装置用支持枠を取り付ける作業が一人で行えるようにする。【構成】スクリーン装置用支持枠を壁面又は天井に取り付けるために使用する支持枠（４０）用の取付具である。前記支持枠（４０）は、取付用溝部（４４，４５）を有する。前記取付具は、壁面又は天井に取付可能かつ係合部（１４）を有する取付ブラケット（１０）と、前記取付ブラケットの係合部（１４）と係合可能な係合部（２４）を有する取付プレート（２０）と、前記取付用溝部（４４，４５）に取付可能な取付ナット（３０）と、これら取付ブラケット（１０）、取付プレート（２０）、取付ナット（３０）を一体化させる固定手段（２８）とからなる。前記取付ブラケット（１０）の係合部（１４）と、前記取付プレートの係合部（２４）は、仮止め及び本止めの二段階止めが可能である。【選択図】図１
2005031535.tif 000002
【特許請求の範囲】
【請求項１】
スクリーン装置を壁面又は天井に取り付けるために使用する支持枠（４０）用の取付具であって、
前記支持枠（４０）は、取付用溝部（４４，４５）を有し、
前記取付具は、
壁面又は天井に取付可能かつ係合部（１４）を有する取付ブラケット（１０）と、
前記取付ブラケットの係合部（１４）と係合可能な係合部（２４）を有する取付プレート（２０）と、
前記取付用溝部（４４，４５）に取付可能な取付ナット（３０）と、
これら取付プレート（２０）、取付ナット（３０）を一体化させる固定手段（２８）とからなり、
前記取付ブラケット（１０）の係合部（１４）と、前記取付プレートの係合部（２４）は、仮止め及び本止めの二段階止めが可能であることを特徴とするスクリーン装置用支持枠の取付具。
【請求項２】
取付ブラケットの係合部（１４）が、本体取付板に設けた受容部であり、取付プレートの係合部（２４）が本体取付板に形成した脚部であり、前記脚部を前記受容部に差し込むことで前記の仮止めが可能である請求項１記載の取付具。
【請求項３】
前記取付ナット（３０）が前記取付用溝部（４４，４５）とほぼ等しい高さを有し、少なくとも２箇所で曲面角部（３１）を有する請求項１又は２記載の取付具。
【請求項４】
取付ブラケット及び取付プレートの頭部（１３，２２）はそれぞれ突出し、双方が固定手段（５１）により固定可能である請求項１ないし３のいずれかに記載の取付具。
【請求項５】
取付プレート（２０）の両端部（２３）に、取付ナット（３０）の不測の回転を阻止する手段が設けられている請求項１ないし４のいずれかに記載の取付具。
【請求項６】
取付具が構成する部品及び支持枠同士が接触する部分には防振材（２７，３３）が取り付けられている請求項１ないし５のいずれかに記載の取付具。
【請求項７】
取付用溝部（４４，４５）を有するスクリーン装置用支持枠（４０）を壁面又は天井に取り付けるための取付方法であって、
係合部（１４）を有する取付ブラケット（１０）を壁面又は天井に取付ける工程と、
前記取付用溝部（４４，４５）とほぼ等しい高さを有し、少なくとも２箇所で曲面角部（３１）を有する取付ナット（３０）を回転させて前記取付用溝部（４４，４５）に取り付ける工程と、
前記取付ブラケット（１０）の係合部（１４）と係合可能な係合部（２４）を有する取付プレート（２０）と、取付用溝部（４４，４５）に取付可能な前記取付ナット（３０）を一体化させる工程と、
取付ブラケットの係合部（１４）と、取付プレートの係合部（２４）を一体化する工程と、
を有することを特徴とするスクリーン装置用支持枠（４０）の取付方法。
【請求項８】
取付ブラケットの係合部（１４）と、取付プレートの係合部（２４）を一体化する工程が、仮止めと本止めの二段階からなる請求項７記載の方法。
【発明の詳細な説明】
【技術分野】
【０００１】
本発明は、映写スクリーン等の吊り下げ・巻取・収納用装置を壁面や天井に取付けるのに使用する支持枠（本明細書では、「スクリーン装置用支持枠」と略称する）の取付具及びこのスクリーン装置用支持枠を壁面や天井に取付ける取付方法に関する。
【背景技術】
【０００２】
スクリーン装置用支持枠を取付けるのに使用する従来の取付具としては、下記特許文献１の技術が公知である。この技術によれば、Ｌ字型のスクリーン装置用支持枠に突縁部を有する溝部を２箇所設けている。そして、この溝部と、壁面や天井に取付けた取付用ブラケットとを取付ナットを介して係合固定させている。
【特許文献１】実開平５−９６８４６号公報
【発明の開示】
【発明が解決しようとする課題】
【０００３】
この特許文献１の取付方法では、取付用ブラケットに対して、スクリーン装置用支持枠をいきなり取り付けるので、かなり重量のあるスクリーン装置用支持枠を一時的に支える作業員と、両者を固定する作業員の少なくとも二人が必要である。
【０００４】
そこで、本発明では取付用ブラケットに対してスクリーン装置用支持枠を取り付ける作業が一人で行えるようなスクリーン装置支持枠取付用取付具及び取付方法を提供することを目的とする。
【課題を解決するための手段】
【０００５】
本発明は、スクリーン装置を壁面又は天井に取り付けるために使用する支持枠用の取付具であって、前記支持枠は、取付用溝部を有し、前記取付具は、壁面又は天井に取付可能かつ係合部を有する取付ブラケットと、前記取付ブラケットの係合部と係合可能な係合部を有する取付プレートと、前記取付用溝部に取付可能な取付ナットと、これら取付プレート、取付ナットを一体化させる固定手段とからなり、前記取付ブラケットの係合部と、前記取付プレートの係合部は、仮止め及び本止めの二段階止めが可能であることを特徴とする。
【０００６】
また、本発明は、取付用溝部を有するスクリーン装置用支持枠を壁面又は天井に取り付けるための取付方法であって、係合部を有する取付ブラケットを壁面又は天井に取付ける工程と、前記取付用溝部とほぼ等しい高さを有し、少なくとも２箇所で曲面角部を有する取付ナットを回転させて前記取付用溝部に取り付ける工程と、前記取付ブラケットの係合部と係合可能な係合部を有する取付プレートと、取付用溝部に取付可能な前記取付ナットを一体化させる工程と、取付ブラケットの係合部と取付プレートの係合部を一体化させる工程からなることを特徴とする。
【発明の効果】
【０００７】
本発明によれば、次のような効果が得られる。
（１）取付ブラケットに対してスクリーン装置用支持枠を取り付ける最終段階は、取付ブラケットの係合部と取付プレートの係合部を仮止めしたあとで本止めする。仮止め段階ではスクリーン装置用支持枠４０を支えていた手を離してもよいので、この取付作業は作業員一人で行うことができる。
（２）曲面角部を有する取付ナットをスクリーン装置用支持枠の取付用溝部に正面から回転させつつ取り付けることができるので、取付ナットとスクリーン装置用支持枠の結合が極めて容易である。
（３）取付ブラケットはスクリーン装置用支持枠によって完全に隠されるので、美観を損なうことがない。
【発明を実施するための最良の形態】
【０００８】
取付ブラケットの係合部は例えば本体取付板に設けた受容部であり、取付プレートの係合部は例えば本体取付板に形成した脚部であり、前記脚部を前記受容部に差し込むことで前記の仮止めが可能である。
【０００９】
取付ナットは取付用溝部とほぼ等しい高さを有し、少なくとも２箇所で曲面角部を有することが好ましい。このようにすることで、取付ナットを取付用溝部に正面から取り付けることができる。このとき、取付プレートの両端部には取付ナットの不測の回転を阻止する手段を設けることが好ましい。そのような手段は例えば隆起部又は突起部である。
【００１０】
取付ブラケット及び取付プレートの頭部はそれぞれ「く」の字型に突出し、双方が固定手段により固定可能とすることが好ましい。これにより、取付ブラケット及び取付プレートの本止めが可能となる。
【００１１】
なお、取付具が構成する部品及び支持枠同士が接触する部分には防振材を取り付けるのが好ましい。
【実施例１】
【００１２】
以下、添付の図面に基づき、本発明の実施例を説明する。
【００１３】
図１及び図２は、本発明のスクリーン装置用支持枠４０およびその取付具を分解斜視図で示したものである。図１は壁１（図３参照）に向かって見たとき、図２は壁側から見たときである。
【００１４】
図１及び２において、壁は最も右側に位置する。この壁に対して、取付ブラケット１０がネジ１１により固定される。取付ブラケット１０は、ほぼ四角形の取付板本体１２と、その本体の上方に「く」の字型に突出する幅狭の頭部１３と、本体底部に切り抜きと打ち出しにより設けられた受容部１４とからなる。ネジ穴１５，１６は本体に６箇所及び頭部に１箇所、合計７箇所設けられている。
【００１５】
この取付ブラケット１０に対して、取付プレート２０を介して、スクリーン装置用支持枠４０が固定される。取付プレート２０は、ほぼ四角形の取付板本体２１と、その本体の上方に「く」の字型に突出する頭部２２と、折り曲げられて前方に突出した両端の隆起部２３と、本体底部に折り曲げられて後方に突出した脚部２４からなる。本体２１と頭部２２にはそれぞれネジ孔が１箇所（２５，２６）取り付けられている。後記するように、脚部２４が前記取付ブラケットの受容部１４に挿入可能である（図３参照）。隆起部２３の前方にはゴムなどの防振材２７が設けられている。
【００１６】
この取付プレート２０とスクリーン装置用支持枠４０を結合させるのに必要なのが取付ナット３０である。図４に示すように、取付ナット３０はほぼ四角形の取付板であるが、中央が壁側に窪んで凹所３０ａとなっており、また、４隅のうち２隅で角が丸められて曲面３１となっている。最大高さはスクリーン装置用支持枠４０の溝部の高さとほぼ等しい。また、取付ナットの中央には、ネジ孔が１箇所、前方にはゴムなどの防振材３３（図３）が設けられている。
【００１７】
取付ナット３０は、スクリーン装置用支持枠４０の溝部に取り付けられる。その取付方法を説明する前に、スクリーン装置用支持枠４０について説明する。スクリーン装置用支持枠はほぼＬ字型の取付板であり、傾斜部４１を介して直角に伸びる２枚の板材４２，４３を利用して、壁面又は天井のどちらに対しても取付け可能である。２枚の板材の背面にはそれぞれ溝部４４，４５が形成されており、この溝部の上下端部にはそれぞれ突縁部４６，４７；４８，４９が設けられている。なお、図面では省略しているが、Ｌ字型の取付板の間に、映写スクリーン等の吊り下げ・巻取・収納装置（「スクリーン装置」）が設けられる。
【００１８】
取付ナット３０を溝部の一方４４に取り付けるには、前記突縁部４６，４７が邪魔して、正面から押し込むことはできない。そこで、図４に示すように、まず取付ナット３０を水平にして正面から溝部４４に押し込む（図４ａ）。続いて、手で取付ナット３０を回転させる（図４ｂ）。取付ナットは曲面角部３１があるので溝部上端につかえることなく回転可能である。最終的に取付ナット３０が立った形で溝部４４に収容される（図４ｃ）。取付ナット３０が完全に立ち上がると、それ以上は回転できないのでネジ止めが容易である。取付ナット３０が完全に立ち上がった状態では取付プレート２０の前記隆起部２３のために、取付ナット３０は自由回転が阻害され、セットした後の回転を防ぐことができる。
【００１９】
この状態で、図３に示すように、取付プレート２０と取付ナット３０とをボルト２８で一体化させる。ボルトの先端が溝部に強く当たらないように、溝部４４には凹部５０を設けるのが好ましい。
【００２０】
上記説明では、便宜上、取付ブラケット１０、取付プレート２０、取付ナット３０、スクリーン装置用支持枠４０というように説明してきた。しかし、実際に取り付けるときには、次の順序になる。
（１）取付ブラケット１０を壁面又は天井に取り付ける。
（２）スクリーン装置用支持枠４０の溝部４４，４５に対して取付ナット３０、取付プレート２０を一体化させる。
（３）取付ブラケット１０の受容部１４に対して取付プレート２０の脚部２４を差し込んで仮止めする。
（４）取付ブラケット頭部１３と取付プレート頭部２２をボルト５１で締めて本止めする。
【００２１】
この方法においては、取付ブラケット１０に対して、スクリーン装置用支持枠４０が仮止め及び本止めの二段階で取り付けられる。仮止め段階ではスクリーン装置用支持枠４０を支えていた手を離してもよいので、この取付作業は作業員一人で行うことができる。
【００２２】
微調整を可能とするため、取付プレート頭部２２のネジ穴２６は長孔としておくことが好ましい。また、最終固定用ボルト５１には防振材としてゴムリング５２を介在させるのが、ネジを外れにくくする上で好ましい。
【００２３】
図５はスクリーン装置用支持枠を天井に取り付けたときの断面図である。ここには、スクリーン装置用支持枠４０を外部から見えなくするための遮蔽用スクリーンボックス６０が予め天井に設定されている場合が多い。スクリーン装置用支持枠４０はこの中に収容される。図面では省略しているが、Ｌ字型の取付板の間に、映写スクリーン等の吊り下げ・巻取・収納装置（「スクリーン装置」）が設けられる。スクリーン（図示せず）はスクリーンボックス６０のスリット６１から引き出される。
【図面の簡単な説明】
【００２４】
【図１】本発明のスクリーン装置用支持枠４０の取付具を分解斜視図で示したものであり、は壁に向かって見たときの状態である。
【図２】本発明のスクリーン装置用支持枠４０の取付具を分解斜視図で示したものであり、壁側から見たときの状態である。
【図３】本発明のスクリーン装置用支持枠４０とその取付具を壁に取り付けた状態の断面図である。
【図４】（ａ）（ｂ）（ｃ）は、取付ナットの取付方法の３段階を示す正面図である。
【図５】本発明のスクリーン装置用支持枠４０とその取付具を天井に取り付けた状態の断面図である。
【符号の説明】
【００２５】
１     壁
２     天井
１０   取付ブラケット
１１   ネジ
１２   取付板本体
１３   取付ブラケット頭部
１４   受容部
２０   取付プレート
２１   本体
２２   取付プレート頭部
２３   両端部
２４   脚部
２７   防振材
２８   ボルト
３０   取付ナット
３１   曲面角部
３３   防振材
４０   スクリーン装置用支持枠
４１   傾斜部
４２，４３    板材
４４，４５    溝部
４６，４７    突縁部
５１   ボルト
【図１】
2005031535.tif 000003
【図２】
2005031535.tif 000004
【図３】
2005031535.tif 000005
【図４】
2005031535.tif 000006
【図５】
2005031535.tif 000007